(57)【要約】      （修正有）【課題】流路を流通する湯水に渦巻き流が発生するのを防止できる浴槽用給湯口アダプタを提供する。【解決手段】浴槽の壁部に貫通状態に取り付けられる一方、内部に外周断面円形の湯水流通用の流路Ａが設けられて、浴槽外から外管を介して流路Ａの後部に供給された湯水が流路Ａを通ってその流路Ａの前部から浴槽内に吐出されるようにした浴槽用給湯口アダプタを対象とする流路Ａの外周壁面に、流路Ａの軸心方向に延び、かつ内径方向に突出する渦巻き流抑制部７が設けられている。【選択図】図２
2015117886.tif 000002
【特許請求の範囲】
【請求項１】
浴槽の壁部に貫通状態に取り付けられる一方、内部に外周断面円形の湯水流通用の流路が設けられて、浴槽外から外管を介して前記流路の後部に供給された湯水が前記流路を通ってその流路の前部から浴槽内に吐出されるようにした浴槽用給湯口アダプタであって、
前記流路の外周壁面に、前記流路の軸心方向に延び、かつ内径方向に突出する渦巻き流抑制部が設けられていることを特徴とする浴槽用給湯口アダプタ。
【請求項２】
前記流路は、断面円形の内側流路と、その内側流路の外周に設けられた断面円環状の外側流路とを有し、前記内側流路および前記外側流路のうち少なくともいずれか一方に、前記渦巻き流抑制部が設けられている請求項１に記載の浴槽用給湯口アダプタ。
【請求項３】
前記内側流路に前記渦巻き流抑制部が設けられている請求項２に記載の浴槽用給湯口アダプタ。
【請求項４】
前記流路の後端部における外周壁に、その流路内に湯水を導入するための導入管部が形成されるとともに、前記導入管部の軸心が前記流路の軸心に対し略直交して配置され、
前記流路の外周壁面における前記導入管部に対向する位置に、前記渦巻き流抑制部が配置されている請求項１〜３のいずれか１項に記載の浴槽用給湯口アダプタ。
【請求項５】
一端側が前記導入管部に連結され、かつ他端側に前記外管が連結されるジョイント管を備え、
前記ジョイント管の一端側が前記導入管部にその軸心回りに回転自在に連結され、
前記ジョイント管の前記導入管部に対する回転操作によって、前記ジョイント管が、その軸心が前記流路の軸心に対し平行に配置される平行状態と、直角に配置される直角状態との間で可動自在に構成されている請求項４に記載の浴槽用給湯口アダプタ。
【請求項６】
前記流路の後端面が閉塞され、その後端閉塞面に前記渦巻き流抑制部の後端部が接触している請求項１〜５のいずれか１項に記載の浴槽用給湯口アダプタ。
【発明の詳細な説明】
【技術分野】
【０００１】
本発明は、浴槽内への湯水供給用として浴槽の壁部に組み付けられる浴槽用給湯口アダプタに関する。
【背景技術】
【０００２】
浴槽の壁部に組み付けられる循環式の給湯口アダプタにおいて、軸心に沿って設けられた断面円形の内側流路（内側回路）と、その内側流路の外周に設けられた断面円環状の外側流路（外側回路）とを備えるものが周知である。この給湯口アダプタにおいて、追い焚き時等の湯水循環時には、室外の給湯機から外管（往き管）を介して供給された湯水が、給湯口アダプタの例えば内側流路に供給され、その内側流路を通って浴槽内に吐出される一方、浴槽内の湯水が給湯口アダプタの例えば外側流路に吸引され、その外側流路を通って外管（戻り管）を介して室外の給湯機に戻されるようになっている。
【０００３】
このような従来の給湯口アダプタにおいては、往き管や戻り管等の外管を接続するための外管接続部が設けられている。この外管接続部は、内側流路や外側流路に連通し、かつ外方に突出するように細管状に形成されている。例えば特許文献１に示す給湯口アダプタでは、外管接続部がアダプタの軸心（流路の軸心）に対し直交して配置されており、例えば往き管を介して外管接続部から供給される湯水が、内側流路にその軸心に対し直交する方向から供給されるようになっている。
【先行技術文献】
【特許文献】
【０００４】
【特許文献１】特開２００７−３０９５７５号公報
【発明の概要】
【発明が解決しようとする課題】
【０００５】
しかしながら、上記特許文献１に示すように、外管接続部が内側流路に対し直交して配置される給湯口アダプタにおいては、外管接続部から内側流路に供給される湯水の主流が、内側流路の軸心から上下や左右に位置ずれして偏った状態で供給される場合がある。そうすると外管接続部から湯水が、内側流路における円形の外周壁面に沿って供給されるようになり、湯水が内側流路の外周壁面に沿って螺旋状に旋回しつつ流通していき渦巻き流が発生してしまうという課題があった。その結果、内側流路を流動する湯水内に多量の空気が混入されて流量が低下したり、湯水が内側流路内を不安定な状態で流動する等、湯水をスムーズに流通させることが困難になるおそれがあった。
【０００６】
以上の説明においては、給湯機から湯水が給湯口アダプタの内側流路に供給される場合についての課題を説明したが、給湯機から湯水が給湯口アダプタの外側流路に供給される場合についても同様な課題が発生する可能性を否定することはできない。
【０００７】
この発明は、上記の課題に鑑みてなされたものであり、アダプタ内の流路を流通する湯水に渦巻き流が発生するのを防止することができる浴槽用給湯口アダプタを提供することを目的とする。
【課題を解決するための手段】
【０００８】
上記目的を達成するため、本発明は以下の構成を要旨とする。
【０００９】
［１］浴槽の壁部に貫通状態に取り付けられる一方、内部に外周断面円形の湯水流通用の流路が設けられて、浴槽外から外管を介して前記流路の後部に供給された湯水が前記流路を通ってその流路の前部から浴槽内に吐出されるようにした浴槽用給湯口アダプタであって、
前記流路の外周壁面に、前記流路の軸心方向に延び、かつ内径方向に突出する渦巻き流抑制部が設けられていることを特徴とする浴槽用給湯口アダプタ。
【００１０】
［２］前記流路は、断面円形の内側流路と、その内側流路の外周に設けられた断面円環状の外側流路とを有し、前記内側流路および前記外側流路のうち少なくともいずれか一方に、前記渦巻き流抑制部が設けられている前項１に記載の浴槽用給湯口アダプタ。
【００１１】
［３］前記内側流路に前記渦巻き流抑制部が設けられている前項２に記載の浴槽用給湯口アダプタ。
【００１２】
［４］前記流路の後端部における外周壁に、その流路内に湯水を導入するための導入管部が形成されるとともに、前記導入管部の軸心が前記流路の軸心に対し略直交して配置され、
前記流路の外周壁面における前記導入管部に対向する位置に、前記渦巻き流抑制部が配置されている前項１〜３のいずれか１項に記載の浴槽用給湯口アダプタ。
【００１３】
［５］一端側が前記導入管部に連結され、かつ他端側に前記外管が連結されるジョイント管を備え、
前記ジョイント管の一端側が前記導入管部にその軸心回りに回転自在に連結され、
前記ジョイント管の前記導入管部に対する回転操作によって、前記ジョイント管が、その軸心が前記流路の軸心に対し平行に配置される平行状態と、直角に配置される直角状態との間で可動自在に構成されている前項４に記載の浴槽用給湯口アダプタ。
【００１４】
［６］前記流路の後端面が閉塞され、その後端閉塞面に前記渦巻き流抑制部の後端部が接触している前項１〜５のいずれか１項に記載の浴槽用給湯口アダプタ。
【発明の効果】
【００１５】
上記［１］の浴槽用給湯口アダプタによれば、流路の外周壁面に渦巻き流抑制部が設けられているため、その渦巻き流抑制部によって、湯水が流路内を周方向に螺旋状に流れるのを防止でき、渦巻き流が発生するのを防止することができる。これにより、湯水の流量を十分に確保しつつ、湯水を安定した状態でスムーズに流通させることができる。
【００１６】
上記［２］［３］の浴槽用給湯口アダプタによれば、内外に流路を有する二重管型のアダプタにおいて、渦巻き流の発生を防止することができる。
【００１７】
上記［４］の浴槽用給湯口アダプタによれば、導入管部から流路内に導入される湯水が、渦巻き流抑制部に直接的に導かれるため、湯水の流れが素早く調整されて、より確実に渦巻き流が発生するのを防止することができる。
【００１８】
上記［５］の浴槽用給湯口アダプタによれば、外管を流路に対し平行な状態と、直角な状態との間で可動自在に調整できるアダプタにおいて、渦巻き流の発生を防止することができる。
【００１９】
上記［６］の浴槽用給湯口アダプタによれば、渦巻き流抑制部の後端部も流路内周面に支持できて、渦巻き流抑制部の取付強度、ひいては渦巻き流抑制部自体の強度を向上させることができる。
【図面の簡単な説明】
【００２０】
【図１】図１はこの発明の実施形態である浴槽用給湯口アダプタを示す斜視図である。
【図２】図２は実施形態の給湯口アダプタを示す断面図である。
【図３】図３は実施形態の給湯口アダプタを分解して示す斜視図である。
【図４】図４は実施形態の給湯口アダプタにおいてジョイント管を平行にした状態を背面側から見た斜視図である。
【図５】図５は実施形態の給湯口アダプタにおける槽外取付部材からジョイント管を分離した状態で示す斜視図である。
【図６】図６は実施形態の槽外取付部材を示す正面図である。
【図７】図７は実施形態の槽外取付部材を示す側面断面図である。
【図８】図８は実施形態の槽外取付部材を示す下面断面図である。
【図９】図９は給湯口アダプタにおける管路構造を後面側から見た状態で示す模式断面図である。
【図１０】図１０は給湯口アダプタにおける管路構造を側面側から見た状態で示す模式断面図である。
【図１１】図１１はこの発明の変形例である給湯口アダプタの槽外取付部材を示す斜視図である。
【発明を実施するための形態】
【００２１】
図１〜図５はこの発明の実施形態である浴槽用給湯口アダプタを示す図である。これらの図に示すように、本実施形態の浴槽用給湯口アダプタは、浴槽の側壁（壁部）Ｗに設けられた取付孔に組み付けられ、浴槽外に設置されている給湯機からの湯水を浴槽内に供給する湯貼り（貯湯）機能と、浴槽内の温水を給湯機に吸い込んで加熱した高温水を浴槽内に戻す追い焚き（循環）機能とを備えた浴槽給湯システムに適用するものである。さらにこの給湯口アダプタは、いわゆる無極性タイプとして、給湯機に繋がる往き管と戻り管に対する接続が逆になっても同じ機能が得られるようになっている。
【００２２】
本実施形態の給湯口アダプタは、浴槽の内部と外部との間で所定の流路を形成するための仕切部材３と、仕切部材３を浴槽の側壁Ｗの内面側に取り付ける雄ねじ部材２と、浴槽の側壁Ｗの外面側に配置される槽外取付部材１と、フィルター部材４と、槽外取付部材１に連結されるジョイント管６とを基本的な構成要素として備えている。
【００２３】
なお、本明細書において、浴槽用給湯口アダプタの軸心方向に沿って浴槽に対して内側（図２の左側）を「前側」または「正面側」とし、浴槽に対して外側（図２の右側）を「後側」または「裏面側」とし、また図２の上側を「上側」、図２の下側を「下側」とし、さらに図２の紙面に向かって垂直な方向を「両側方向」または「左右方向」として説明する。
【００２４】
本実施形態において、槽外取付部材１は硬質合成樹脂の成形品によって構成されている。合成樹脂以外に、槽外取付部材１を構成可能な素材としては、例えば黄銅、ステンレス等を例示することができる。
【００２５】
本実施形態の槽外取付部材１は、前面側が開放され、かつ後面側が閉塞された円筒形状の外筒部１２と、この外筒部１２の内部に同軸心上に配置される円筒形状の内筒部１１と、外筒部１２の前端外周に設けられた平板リング状のフランジ部１３と、外筒部１２の後壁外面に設けられる上下２つの雌側管部１４とを備え、これらが一体に形成されている。
【００２６】
内筒部１１の内部空間は、後述の内側流路（内側回路）Ａの一部として構成されるとともに、内筒部１１および外筒部１２間の円環状空間は、後述の外側流路（外側回路）Ｂの一部として構成されている。
【００２７】
本実施形態において、内側流路Ａの外周面を構成する内筒部１１の内周側面は断面円形に形成されるとともに、外側流路Ｂの外周面を構成する外筒体１２の内周側面は断面円形に形成されている。
【００２８】
槽外取付部材１のフランジ部１３の外周縁部には、そのフランジ部１３と浴槽外壁面との間の水密を図るための合成樹脂製のリング状パッキング５１が取り付けられている。
【００２９】
図５〜図８に示すように槽外取付部材１における外筒部１２の後壁外面に設けられる雌側管部１４は、互いに独立した管路を備えた円管状の形状を有している。
【００３０】
雌側管部１４のうち、下方に延びる下部雌側管部１４ａは、下向きに開放されるとともに、上方に延びる上部雌側管部１４ｂは、上向きに開放されている。下部雌側管部１４ａの先端開口は、内筒部１１の内部空間、つまり内側流路Ａに連通接続されるとともに、上部雌側管部１４ｂの先端開口は、内筒部１１および外筒部１２間の環状空間、つまり外側流路Ｂに連通接続されている。
【００３１】
また下部雌側管部１４ａおよび上部雌側管部１４ｂの各管孔における各開口縁部１４２は、内径寸法がそれぞれ大きく形成されている。
【００３２】
図５等に示すように、内側流路Ａおよび外側流路Ｂの軸心、つまり内筒部１１および外筒部１２の軸心Ｘは前後方向に沿って配置されるとともに、下部雌側管路１４ａおよび上部雌側管路１４ｂの軸心Ｙは上下方向に沿って配置されている。従って、流路Ａ，Ｂの軸心Ｘに対し、雌側管路１４ａ，１４ｂの軸心Ｙは直交して配置されている。
【００３３】
なお、本実施形態においては、流路Ａ，Ｂの軸心Ｘと、雌側管路１４（１４ａ，１４ｂ）の軸心Ｙとは交差するように配置されている。
【００３４】
ここで、本実施形態においては、雌側管路１４ａ，１４ｂによって導入管部が構成されている。
【００３５】
なお本実施形態においては、下部雌側管路１４ａの軸心Ｙと、上部雌側管路１４ｂの軸心Ｙとが互いに一致するようになっているが、それだけに限られず、本発明においては、下部雌側管路１４ａの軸心と、上部雌側管路１４ｂの軸心とが一致しないようにしても良い。
【００３６】
図６〜図８に示すように槽外取付部材１における内筒体１１の内周面には、渦巻き流抑制部としての邪魔板（整流板）７が一体に形成されている。この邪魔板７は、内筒体１１の内周面における上端部、つまり下部雌側管路１４ａと対向する位置に配置されている。さらに邪魔板７は、内筒体１１の後端部に配置されており、邪魔板７の後端部は内筒体１の底面（後端閉塞面）に一体的に形成されている。
【００３７】
また邪魔板７は、内筒体１１の軸心Ｘに沿う前後方向に連続して形成されるとともに、内径方向（下方）に突出するように形成されている。さらに邪魔板７は、後端側から前端側に向かうに従って次第に突出寸法が小さくなるように形成されている。
【００３８】
後に詳述するが、本実施形態において、邪魔板７は、内側流路Ａを流通する湯水に渦巻き流が発生するのを防止して、湯水が内側流路Ａを安定した状態でスムーズに流通させるものである。
【００３９】
本実施形態において、邪魔板７の最も高い部分の高さ寸法（突出寸法）や、長さ（軸心方向寸法）は特に限定されるものではないが、邪魔板７の最も高い部分の高さ寸法を５ｍｍ以上に設定するのが好ましく、邪魔板７の長さ寸法を１５ｍｍ以上に設定するのが良い。すなわち邪魔板７の高さが低過ぎたり、邪魔板７の長さが短過ぎたりする場合には、後に詳述する渦巻き流の発生を十分に抑制することが困難になるおそれがある。
【００４０】
図１および図５等に示すように槽外取付部材１の雌側管部１４に連結されるジョイント管６は、硬質合成樹脂の一体成形品によって構成されている。
【００４１】
このジョイント管６には、その一端側の側部に雄側管部６４が形成されている。この雄側管部６４は、その軸心がジョイント管６の軸心Ｚに対し直交して配置されている。さらにジョイント管６の軸心Ｚと雄側管部６４の軸心とは交差するようになっている。
【００４２】
言うまでもなくジョイント管６の内部（管路）と雄側管部６４の内部（管路）とは連通接続されている。
【００４３】
この雄側管部６４は、上記槽外取付部材１における雌側管部１４に適合状態に挿入できるようになっている。
【００４４】
ジョイント管６における他端側は、挿入固定部６１として構成されており、図１および図４に示すように往き管６ａおよび戻り管６ｂ等の外管の端部に圧入固定されて、往き管６ａおよび戻り管６ｂと連通接続できるようになっている。
【００４５】
なお、挿入固定部６１は、いわゆるタケノコ形状となっている。すなわち挿入固定部６１の外周面には、周方向に連続する複数の抜け止め突条部６２が軸心方向に等間隔おきに一体に形成されており、接続される往き管６ａおよび戻り管６ｂの抜け止めを、より確実に図ることができる。
【００４６】
本発明において、挿入固定部６１の形状は、タケノコ形状に限定されることはなく、外管６ａ，６ｂを連結できる構造であればどのような形状であっても良い。例えば挿入固定部６１の外周面に雄ねじ状部を形成して、外管６ａ，６ｂをねじ止めで連結できるようにしても良い。
【００４７】
雄側管部６４の外周面には、周方向に連続するＯリング収容溝６５が形成されている。このＯリング収容溝６５内には、弾力性および密着性を有する合成ゴム製のＯリング６６が装着されている。
【００４８】
ここで、本実施形態においては、雄側管部６４が、ジョイント管６の一端側として構成されるとともに、挿入固定部６１が、ジョイント管６の他端側として構成されている。
【００４９】
なお、本実施形態において、ジョイント管６に接続される往き管６ａおよび戻り管６ｂ等の外管は、その少なくとも一部が、可撓性を有する合成樹脂の成形品によって構成されている。
【００５０】
以上の構成のジョイント管６の雄側管部６４が、槽内取付部材１の雌側管部１４に適合状態に挿入されて、図示しない固定手段によって抜け止め状態に連結されている。さらにこの連結状態においては、雄側管部６４の外周面が雌側管部１４の内周面に摺接しており、雄側管部６４が雌側管部１４に対し軸心回りに回転操作可能となっている。さらに回転操作を行った際には、両管部１４，６４間の摩擦抵抗力によって、雄側管部６４は任意の回転位置で固定できるようになっている。
【００５１】
なお、雄側管部６４が雌側管部１４に挿入された状態では、雄側管部６４のＯリング収容溝６５内に収容されたＯリング６６が、雌側管部１４の内周面に弾性圧縮して接触しており、これにより雄側管部６４の外周面と雌側管部１４の内周面との間の水密性（シール性）が確保されている。
【００５２】
図２および図３に示すように、雄ねじ部材２は、例えば硬質合成樹脂の一体成形品からなり、両端が開放された筒状部２１の前端外周に平板リング状のフランジ部２２が一体形成されており、筒状部２１の外周面には、槽外取付部材１の雌ねじに螺合される雄ねじが刻設されている。
【００５３】
フランジ部２２の前面側には、仕切部材３に設けられるロックピン３５の先端に嵌合される多数の有底のロック孔２３が周方向へ一定間隔毎に設けられている。
【００５４】
雄ねじ部材２の筒状部２１は、浴槽側壁Ｗの取付孔を通じて槽外取付部材１の外筒部１２に螺合されて固定される。
【００５５】
これにより、槽外取付部材１のフランジ部１３が浴槽の側壁外面（外壁面）の取付孔の周縁部に沿うように配置された状態で、雄ねじ部材２が、そのリング状パッキング５３を介して浴槽内壁面の取付孔の周縁部に圧接される。
【００５６】
こうして槽外取付部材１および雄ねじ部材２のフランジ部１３，２２によって、浴槽側壁Ｗの取付孔周縁部が挟持されて、浴槽の側壁Ｗに貫通状態に組み付られる。
【００５７】
仕切部材３は、無極性タイプとして流路を形成するものであり、例えば複数の硬質合成樹脂製の部品が組み付けられて構成されている。この仕切部材３は、軸心方向（前後方向）に延びる細長い円筒形状の円筒部３１と、円筒部３１の前端部に設けられた円盤状の円盤部３２とを有している。
【００５８】
円盤部３２は、内部に複数の流路が設けられる中空構造を有しており、外周を囲うようにして一体に形成された外周壁と、外周壁の前面側開口の一部を閉塞する前板３３とを備えている。さらに円盤部３２の外周壁の下部両側には、開口部３２１がそれぞれ形成されている。
【００５９】
本実施形態においては、円筒部３１の内部と、それに連通する槽外取付部材１の内筒部１１の内部とによって内側流路Ａが形成される。
【００６０】
さらに円筒部３１は、後述するように雄ねじ部材２の筒状部２１の内部に配置されるものであり、円筒部３１および筒状部２１間の環状空間と、それに連通する槽外取付部材１の内筒部１１および外筒部１２間の環状空間とによって、外側流路Ｂが形成される。
【００６１】
本実施形態では、円盤部３２に設けられた開口部３２１のうち一方の開口部が、内側流路Ａおよび外側流路Ｂのうちの一方の流路に連通されて、吐出口として機能するとともに、他方の開口部が、他方の流路に連通されて吸引口として機能する。
【００６２】
なおダブル搬送方式の給湯機を採用する場合には、湯はり時において、２つの開口部３２１が共に吐出口として機能する。
【００６３】
以上の構成の仕切部材３は、浴槽側壁Ｗに組み付けられた雄ねじ部材２に、周知の取付手段によって着脱自在に組み付けられる。このとき、仕切部材３における円筒部３１が、雄ねじ部材２の内部に配置される槽外取付部材１の内筒部１１に挿入される。
【００６４】
この状態では、槽外取付部材１の内筒部１１と仕切部材３の円筒部３１との間にＯリング３６が配置され、このＯリング３６によって、内筒部１１および円筒部３１間の水密が図られる。
【００６５】
また、仕切部材３の円盤部３２の後面に設けられたパッキング（図示省略）によって、仕切部材３の円盤部３２と雄ねじ部材２のフランジ部２２との間の水密が図られるようになっている。
【００６６】
なお、仕切部材３における前板３３の中央上部には、ロックピン３５が挿入されるピン挿入孔３４が形成されており、仕切部材３のピン挿入孔３４にロックピン３５を圧入した際に、そのロックピン３５の先端部が、上記雄ねじ部材２におけるロック孔２３の一つに嵌合することによって、雄ねじ部材２に対して仕切部材３の回転変位が阻止されるようになっている。
【００６７】
フィルター部材４は、例えば硬質合成樹脂の成形品によって構成されており、仕切部材３の前面側（円盤部３２）を前面側から覆うような状態で着脱自在に装着できるようになっている。このフィルター部材４の外周壁における下端部には、円盤部３２の開口部３２１に対応して開口部４２が設けられている。さらにフィルター部材４の前面壁部には、多数の貫通孔４１が形成されている。
【００６８】
以上の構成の給湯口アダプタにおいては、槽外取付部材１に連結された２つのジョイント管６，６に、給湯機から湯水が供給される往き管６ａと、給湯機側に湯水を戻す戻り管６ｂが連結されるが、本実施形態の給湯口アダプタは、既述した通り無極性タイプのものであるため、２つのジョイント管６，６のいずれの管に、往き管６ａおよび戻り管６ｂのいずれの管を接続しても良い。例えば図１に示すように、給湯口アダプタの内部流路Ａに連通する一方のジョイント管６に往き管６ａを接続し、外部流路Ｂに連通する他方のジョイント管６に戻り管６ｂを接続した場合には、往き管６ａから供給される湯水が内部流路Ａを通って、仕切部材３の一方の開口部３２１から浴槽内に供給されるとともに、浴槽内の湯水が仕切部材３の他方の開口部３２１から仕切部材３の内部に吸い込まれて、外部流路Ｂおよび戻り管６ｂを通って給湯機に戻るようになっている。
【００６９】
また、逆に往き管６ａを、他方のジョイント管６に接続し、戻り管６ｂを一方のジョイント管６に接続した場合には、給湯機からの湯水は往き管６ａおよび外部流路Ｂを通って浴槽内に供給される一方、浴槽内の湯水は、内部流路Ａおよび戻り管６ｂを通って給湯機に戻されることになる。
【００７０】
また本実施形態の給湯口アダプタにおいて、槽外取付部材１に組み付けられたジョイント管６は、雄側管部６４の軸心回り、つまり槽外取付部材１の軸心に対し直交する方向の軸回りに３６０°回転可能に構成されている。このためその回転操作によって、例えば図１に示すようにジョイント管６を槽外取付部材１の軸心に対し直交する方向に向けたＬ型状態（直角状態）に設定したり、図４に示すようにジョイント管６を槽外取付部材１の軸心と平行な方向に向けたＳ型状態（平行状態）に設定したりすることができる。従って、外管６ａ，６ｂを槽外取付部材１の軸心Ｘに対し直交する方向、例えば上下方向や左右方向に引き出したり、槽外取付部材１の軸心Ｘに対し平行な方向（後方）に引き出したりすることができ、給湯口アダプタの設置スペースに応じて、外管６ａ，６ｂの引き出し方向を最適な方向に自在に設定でき、汎用性を向上させることができる。
【００７１】
ここで、以下に詳述するように、ジョイント管６をＬ型状態に設定しているような場合において、特に往き管６ａを内側流路Ａ側のジョイント管６に連結していると、内側流路Ａを流れる湯水に渦巻き流が発生するおそれがあるが、本実施形態においては、内側流路Ａに邪魔板７を形成しているため、渦巻き流の発生を確実に抑制できて、内側通路Ａ内において湯水を安定した状態でスムーズに流通させることができる。
【００７２】
すなわちジョイント管６をＬ型状態に設定している場合には、図９に示すように、内側流路Ａの前後方向に沿う軸心Ｘに対し、下部雌側管部１４ａの軸心Ｙが直交して配置されるとともに、下部雌側管部１４ａの軸心Ｙに対し、ジョイント管６の軸心Ｚが直交して配置されている。この管路構成において、往き管６ａからジョイント管６に供給された湯水は、ジョイント管６内をその軸心Ｚに沿って、同図右方向に流動した後、湯水が下部雌側管路１４ａに導入され、さらにその湯水は下部雌側管路１４ａ内をその軸心Ｙに沿って上方に流動していく。ここで、ジョイント管６から下部雌側管路１４ａに導入された湯水Ｕは、水勢の影響によって、下部雌側管路１４ａ内をその軸心Ｙよりも右側（片側）に偏った状態で流動していく。さらにこの湯水Ｕは、右側（片側）に偏ったままの状態で内側流路Ａに導入される。つまり内側流路Ａに導入された湯水Ｕは、内側流路Ａの軸心Ｘよりも右側（片側）に偏っているため、内側流路Ａの外周壁面（内筒体１１の内周面）に沿って流動することとなる。このため仮に本実施形態のような邪魔板７が存在しない場合には、湯水Ｕは内側流路Ａの外周壁面（内筒体１１の内周面）に沿って螺旋状に旋回するように流動していき、渦巻き流が発生してしまう。このように湯水Ｕに渦巻き流が発生すると、気泡の混入等によって、流量が大きく低下したり、湯水の流れが不安定となったりして、湯水をスムーズに流通させることが困難になってしまい、流動特性が低下してしまう。
【００７３】
そこで本実施形態においては、図９の破線に示すように内側流路Ａの外周壁面に内側流路Ａの軸心Ｘに沿う邪魔板７を設けているため、内側流路Ａに導入された湯水Ｕは邪魔板７によって周方向の流れが制限されることにより、湯水Ｕが内側流路Ａを周方向に流動せず渦巻き流が発生するのが防止される。これにより、湯水は内側流路Ａ内をその軸心Ｘに沿って前方に安定した状態で流動していき、湯水をスムーズに流通させることができる。
【００７４】
さらに本実施形態においては、邪魔板７を内側流路Ａの外周壁面のうち下部雌側管路１４ａに対向する位置に配置しているため、下部雌側管路１４ａから内側流路Ａに導入された湯水Ｕは直接的に邪魔板７の位置に導かれて、その導入直後に素早く、邪魔板７によって流れが制御される。このため、より一層確実に渦巻き流の発生を防止でき、良好な流動特性を確実に得ることができる。
【００７５】
その上さらに本実施形態においては、邪魔板７の後端部を内筒体１１の底面（後端面）に接触させて、底面に一体化していため、邪魔板７をその後端縁と上側縁との２辺で内筒体１１によって支持することができ、例えば邪魔板７をその上側縁の１辺のみで内筒体１１によって支持する場合と比較して、邪魔板７の取付強度、ひいては邪魔板７自体の強度を向上させることができる。このため邪魔板７の破損、劣化等を有効に防止できて、信頼性および耐久性を一段と向上させることができる。
【００７６】
さらに本実施形態においては、邪魔板７を槽外取付部材１に一体に形成しているため、邪魔板７の強度をより一層向上させることができ、邪魔板７の破損や劣化等をより確実に防止することができる。
【００７７】
ところで、図４に示すようにジョイント管６を内側流路Ａに対し平行にしたＳ型状態に設定している場合には、邪魔板７がなくとも、渦巻き流が発生する可能性が低くなる。すなわちジョイント管６を内側流路Ａに対し平行したＳ型状態に設定している場合、図１０に示すように、ジョイント管６から下部雌側管路１４ａに導入される湯水Ｕは、水勢の影響によって、下部雌側管路１４ａ内をその軸心Ｙよりも前側に偏った状態で流動する。このように湯水は前方に偏るだけで左右方向には偏らないため、下部雌側管路１４ａから湯水Ｕは内側流路Ａの軸心Ｘ上に導入される。このため、湯水Ｕが内側流路Ａをその外周壁面に沿って螺旋状に旋回しつつ流通するようなことがなく、渦巻き流が発生するのを防止することができる。
【００７８】
従って本発明は、可動式のジョイント管６を有する給湯口アダプタをＬ型状態（図１参照）で使用する場合には特に、有効である。
【００７９】
もっとも、給湯口アダプタは、一般的に、内部の水路が非常に複雑であるため、湯水の挙動が不安定となる場合がある。従って既述したようにジョイント管６をＳ型状態に設定していようとも、内側流路Ａ等において渦巻き流が発生する可能性はある。よって本発明は、ジョイント管６をＳ型状態に配置する給湯口アダプタに対しても、何ら支障なく、採用することができる。
【００８０】
参考までに、上記のような給湯口アダプタにおいては、通常、邪魔板７がない場合には、ジョイント管６の軸心Ｚが内側流路Ａの軸心Ｘに対し４５°以上の場合には、渦巻き流が顕著に発生するようになる。
【００８１】
以上のように本実施形態の給湯口アダプタによれば、内側流路Ａに邪魔板７を形成しているため、渦巻き流の発生を防止でき、流量低下等の不具合を確実に防止できて、湯水を安定状態にスムーズに流通させることができる。
【００８２】
また本実施形態のような給湯口アダプタは、内部の管路構造が複雑であり、湯水の流れが非常に複雑となるため、適切な流動特性を得るのが困難であり、渦巻き流の発生等を抑制するのが困難である。従ってこのように管路構造が複雑な給湯口アダプタに、邪魔板７を採用することによって、渦巻き流抑制の効果が顕著に現れて、流動特性を飛躍的に向上させることができる。
【００８３】
特に給湯口アダプタの内側流路Ａは、外管からの導入管路構造が、一層複雑であるため、本実施形態のように内側流路Ａで渦巻き流の発生を抑制することによって、より一層、流動特性を向上させることができる。
【００８４】
なお、上記実施形態においては、槽外取付部材１に対しジョイント管６が別体に設けられた給湯口アダプタを例に挙げて説明したが、それだけに限られず、本発明は、例えば図１１に示すように、槽外取付部材１の導入管部１４に、ジョイント管６または挿入固定部６１に相当する外管接続部６０が一体に形成された給湯口アダプタにも適用することができる。
【００８５】
また上記実施形態において、渦巻き流抑制部として、邪魔板７が採用されているが、本発明においては、渦巻き流抑制部は板状に限定されるものではなく、どのような形状に形成していも良い。
【００８６】
さらに上記実施形態においては、渦巻き流抑制部としての邪魔板を槽外取付部材１に一体に形成しているが、それだけに限られず、渦巻き流抑制部を槽外取付部材に対し別体に形成し、その別体の渦巻き流抑制部を槽外取付部材に接着剤等の固定手段によって固定するようにしても良い。
【００８７】
さらに本発明においては、渦巻き流抑制部を複数形成しても良く、例えば渦巻き流抑制部を内側流路Ａの外周壁面に周方向に間隔をおいて複数形成するようにしても良いし、渦巻き流抑制部を内側流路Ａの軸心方向に間隔をおいて複数形成するようにしても良い。
【００８８】
さらに上記実施形態においては、渦巻き流抑制部を内側流路Ａに形成する場合を例に挙げて説明したが、それだけに限られず、本発明においては、渦巻き流抑制部を外側流路Ｂに形成しても良いし、内側流路Ａと外側流路Ｂとの双方に形成しても良い。もっとも給湯口アダプタは、内側流路Ａに導入される湯水は、外側流路Ｂに導入される湯水と比較して偏流が発生し易いため、渦巻き流抑制部を内側流路Ａに形成する方が、より効果的である。
【００８９】
また上記実施形態においては、槽外取付部材１側に雌側管部１４を形成するとともに、ジョイント管６側に雄側管部６４を形成する場合を例に挙げて説明したが、本発明はそれだけに限られず、槽外取付部材側に雄側管部を形成するとともに、ジョイント管側に雌側管部を形成しておいて、槽外取付部材の雄側管部をジョイント管の雌側管部に挿入するように構成しても良い。
【００９０】
また上記実施形態の槽外取付部材１においては、内側流路Ａに接続された雌側管部１４ａが下向きに配置されるとともに、外側流路Ｂに接続された雌側管路１４ｂが上向きに配置されているが、それだけに限られず、本発明においては、内側流路Ａ側の雌側管路１４ａを上向きに、外側流路Ｂ側の雌側管路１４ｂを下向きに配置したり、雌側管路１４ａ，１４ｂを横向きや斜め向きに配置するようにしても良い。
【産業上の利用可能性】
【００９１】
この発明の浴槽用給湯口アダプタは、浴槽内に湯水を供給するための浴槽用給湯金具として利用可能である。
【符号の説明】
【００９２】
１：槽外取付部材
１４，１４ａ，１４ｂ：雌側管部（導入管部）
６ａ：往き管（外管）
６ｂ：戻り管（外管）
６：ジョイント管
Ａ：内側流路
Ｂ：外側流路
Ｕ：湯水
Ｗ：側壁（壁部）
Ｘ，Ｙ，Ｘ：軸心
【図１】
2015117886.tif 000003
【図２】
2015117886.tif 000004
【図３】
2015117886.tif 000005
【図４】
2015117886.tif 000006
【図５】
2015117886.tif 000007
【図６】
2015117886.tif 000008
【図７】
2015117886.tif 000009
【図８】
2015117886.tif 000010
【図９】
2015117886.tif 000011
【図１０】
2015117886.tif 000012
【図１１】
2015117886.tif 000013